(57)【要約】【課題】  製造の効率化を図ることのできる光学装置を提供すること。【解決手段】  発光素子１１と、受光素子１２と、発光素子１１を覆う発光側遮光樹脂部６と、受光素子１２を覆う受光側遮光樹脂部７と、を備え、発光側遮光樹脂部６には、発光素子１１から放たれた光を放つ光出射孔６８９が形成され、受光側遮光樹脂部７には、受光素子１２への光を入射する光入射孔７８９が形成され、光出射孔６８９は、光入射孔７８９に対向しており、発光側遮光樹脂部６は、受光側遮光樹脂部７に接合されている。【選択図】  図１２
2015095584.tif 000002
【特許請求の範囲】
【請求項１】
発光素子と、
受光素子と、
前記発光素子を覆う発光側遮光樹脂部と、
前記受光素子を覆う受光側遮光樹脂部と、を備え、
前記発光側遮光樹脂部には、前記発光素子から放たれた光を放つ光出射孔が形成され、
前記受光側遮光樹脂部には、前記受光素子への光が入射する光入射孔が形成され、
前記光出射孔は、前記光入射孔に対向しており、
前記発光側遮光樹脂部は、前記受光側遮光樹脂部に接合されている、光学装置。
【請求項２】
前記発光側遮光樹脂部および前記受光側遮光樹脂部はいずれも、断面形状がＬ字状である、請求項１に記載の光学装置。
【請求項３】
前記発光側遮光樹脂部は、発光側突起を含み、且つ、前記発光側遮光樹脂部には、発光側挿入穴が形成され、
前記受光側遮光樹脂部は、受光側突起を含み、且つ、前記受光側遮光樹脂部には、受光側挿入穴が形成され、
前記発光側突起は、前記受光側挿入穴に挿入されており、
前記受光側突起は、前記発光側挿入穴に挿入されている、請求項１または請求項２に記載の光学装置。
【請求項４】
前記発光側遮光樹脂部および前記受光側遮光樹脂部を接合する樹脂接合層を更に備え、
前記樹脂接合層は、前記発光側遮光樹脂部および前記受光側遮光樹脂部の間に介在している、請求項１ないし請求項３のいずれかに記載の光学装置。
【請求項５】
前記発光側遮光樹脂部は、発光側突起を含み、且つ、前記発光側遮光樹脂部には、発光側挿入穴が形成され、
前記受光側遮光樹脂部は、受光側突起を含み、且つ、前記受光側遮光樹脂部には、受光側挿入穴が形成され、
前記発光側突起は、前記受光側挿入穴に挿入されており、
前記受光側突起は、前記発光側挿入穴に挿入されており、
前記発光側遮光樹脂部および前記受光側遮光樹脂部を接合する樹脂接合層を更に備え、
前記樹脂接合層は、前記発光側遮光樹脂部および前記受光側遮光樹脂部の間に介在しており、
前記樹脂接合層の一部は、前記発光側挿入穴および受光側挿入穴に位置する、請求項１または請求項２に記載の光学装置。
【請求項６】
前記発光側突起は、前記受光側挿入穴に圧入されており、
前記受光側突起は、前記発光側挿入穴に圧入されている、請求項３または請求項５に記載の光学装置。
【請求項７】
前記発光側遮光樹脂部は、発光側接合面を有し、
前記受光側遮光樹脂部は、受光側接合面を有し、
前記発光側接合面は、前記受光側接合面に対向しており、
前記発光側接合面からは、前記発光側挿入穴が凹んでおり、且つ、前記発光側突起が突出しており、
前記受光側接合面からは、前記受光側挿入穴が凹んでおり、且つ、前記受光側突起が突出している、請求項３に記載の光学装置。
【請求項８】
前記発光側接合面は、発光側傾斜面を有し、
前記受光側接合面は、受光側傾斜面を有し、
前記発光側接合面は、前記受光側接合面に対向しており、
前記発光側傾斜面および前記受光側傾斜面はいずれも、前記光出射孔および前記光入射孔の離間する方向に直交する平面に対して、傾斜している、請求項７に記載の光学装置。
【請求項９】
前記発光側遮光樹脂部は、発光側パーティングラインを有し、
前記受光側遮光樹脂部は、受光側パーティングラインを有し、
前記発光側パーティングラインおよび前記受光側パーティングラインは、前記光出射孔および前記光入射孔の離間する方向に直交する平面に平行である、請求項１ないし請求項８のいずれかに記載の光学装置。
【請求項１０】
前記発光側遮光樹脂部には、パーティングラインとして、前記発光側パーティングラインのみを有し、
前記受光側遮光樹脂部は、パーティングラインとして、前記受光側パーティングラインのみを有する、請求項９に記載の光学装置。
【請求項１１】
前記発光側遮光樹脂部および前記受光側遮光樹脂部の外形は、互いに同一である、請求項１ないし請求項１０のいずれかに記載の光学装置。
【請求項１２】
前記発光側遮光樹脂部は、前記発光素子を覆う発光側主部と、前記発光側主部から前記受光側遮光樹脂部に向かって、前記光出射孔および前記光入射孔の離間する方向に延びる発光側副部と、を含み、
前記受光側遮光樹脂部は、前記受光素子を覆う受光側主部と、前記受光側主部から前記発光側遮光樹脂部に向かって、前記光出射孔および前記光入射孔の離間する方向に延びる受光側副部と、を含み、
前記発光側副部は、前記受光側副部に接合されている、請求項１に記載の光学装置。
【請求項１３】
前記発光側副部は、
前記発光側主部につながる発光側基部と、
前記発光側基部から前記受光側遮光樹脂部に向かって、前記光出射孔および前記光入射孔の離間する方向に延び出る発光側延出部と、を有し、
前記発光側基部の一部と、前記発光側延出部の一部とは、前記受光側副部に接合されている、請求項１２に記載の光学装置。
【請求項１４】
前記受光側副部は、
前記受光側主部につながる受光側基部と、
前記受光側基部から前記発光側遮光樹脂部に向かって、前記光出射孔および前記光入射孔の離間する方向に延び出る受光側延出部と、を有し、
前記受光側基部の一部と、前記受光側延出部の一部とは、前記発光側副部に接合されている、請求項１２または請求項１３に記載の光学装置。
【請求項１５】
前記発光側遮光樹脂部は、発光側外面と、第１発光側内面と、第１発光側外方側面と、第１発光側内方側面と、を有し、
前記発光側外面は、前記光出射孔と前記光入射孔とが離間する方向の一方である第１方向を向き、
前記第１発光側内面は、前記第１方向とは反対の第２方向を向く、請求項１に記載の光学装置。
【請求項１６】
前記第１発光側外方側面および前記第１発光側内方側面は、前記第１方向に直交する第３方向を向き、
前記第１発光側外方側面および前記第１発光側内方側面のなす角度は、１８０度よりも小さい、請求項１５に記載の光学装置。
【請求項１７】
前記発光側遮光樹脂部は、前記第１発光側内面につながる第２発光側内面を有し、
前記第１発光側内面は、前記第２発光側内面から起立している、請求項１６に記載の光学装置。
【請求項１８】
前記受光側遮光樹脂部は、受光側外面と、第１受光側内面と、第１受光側外方側面と、第１受光側内方側面と、を有し、
前記受光側外面は、前記光出射孔と前記光入射孔とが離間する方向の一方である第１方向とは反対の第２方向を向き、
前記第１受光側内面は、前記第１方向を向く、請求項１に記載の光学装置。
【請求項１９】
前記第１受光側外方側面および前記第１受光側内方側面は、前記第１方向に直交する第３方向を向き、
前記第１受光側外方側面および前記第１受光側内方側面のなす角度は、１８０度よりも小さい、請求項１８に記載の光学装置。
【請求項２０】
前記受光側遮光樹脂部は、前記第１受光側内面につながる第２受光側内面を有し、
前記第１受光側内面は、前記第２受光側内面から起立している、請求項１９に記載の光学装置。
【請求項２１】
前記発光素子を覆う発光側透光樹脂部と、
前記受光素子を覆う受光側透光樹脂部と、を更に備え、
前記発光側遮光樹脂部は、前記発光側透光樹脂部を覆い、
前記受光側遮光樹脂部は、前記受光側透光樹脂部を覆う、請求項１ないし請求項２０のいずれかに記載の光学装置。
【請求項２２】
前記発光素子が配置された第１発光素子用リードと、
前記受光素子が配置された第１受光素子用リードと、を更に備え、
前記第１発光素子用リードは、前記発光側遮光樹脂部から突出しており、
前記第１受光素子用リードは、前記受光側遮光樹脂部から突出している、請求項１ないし請求項２１のいずれかに記載の光学装置。
【請求項２３】
前記発光素子にボンディングされた発光側ワイヤと、
前記受光素子にボンディングされた受光側ワイヤと、を更に備える、請求項１ないし請求項２２のいずれかに記載の光学装置。
【請求項２４】
前記発光側ワイヤがボンディングされた第２発光素子用リードと、
前記受光側ワイヤがボンディングされた第２受光素子用リードと、を更に備え、
前記第２発光素子用リードは、前記発光側遮光樹脂部から突出しており、
前記第２受光素子用リードは、前記受光側遮光樹脂部から突出している、請求項２３に記載の光学装置。
【請求項２５】
発光素子を覆う発光側遮光樹脂部を形成する工程と、
受光素子を覆う受光側遮光樹脂部を形成する工程と、
前記発光側遮光樹脂部を、前記受光側遮光樹脂部に接合する工程と、を備え、
前記発光側遮光樹脂部を形成する工程においては、前記発光素子から放たれた光を放つ光出射孔を形成し、
前記受光側遮光樹脂部を形成する工程においては、前記受光素子への光が入射する光入射孔を形成し、
前記接合する工程においては、前記光出射孔が前記光入射孔に対向するように、前記発光側遮光樹脂部を、前記受光側遮光樹脂部に接合する、光学装置の製造方法。
【請求項２６】
前記発光側遮光樹脂部を形成する工程は、２つのみの金型を用いて行い、
前記受光側遮光樹脂部を形成する工程は、２つのみの金型を用いて行う、請求項２５に記載の光学装置の製造方法。
【請求項２７】
前記発光側遮光樹脂部を形成する工程において用いる２つの金型は、それぞれ、前記受光側遮光樹脂部を形成する工程において用いる２つの金型と同一形状の金型である、請求項２６に記載の光学装置の製造方法。
【請求項２８】
前記発光側遮光樹脂部を形成する工程においては、前記発光側遮光樹脂部に、発光側突起および発光側挿入穴を形成し、
前記受光側遮光樹脂部を形成する工程においては、前記受光側遮光樹脂部に、受光側突起および受光側挿入穴を形成し、
前記接合する工程においては、前記発光側突起を前記受光側挿入穴に挿入し、且つ、前記受光側突起を前記発光側挿入穴に挿入する、請求項２５ないし請求項２７のいずれかに記載の光学装置の製造方法。
【請求項２９】
前記接合する工程においては、接着剤を用いて、前記発光側遮光樹脂部を、前記受光側遮光樹脂部に接合する、請求項２５ないし請求項２８のいずれかに記載の光学装置の製造方法。
【請求項３０】
前記発光側遮光樹脂部を形成する工程においては、前記発光側遮光樹脂部に、発光側突起および発光側挿入穴を形成し、
前記受光側遮光樹脂部を形成する工程においては、前記受光側遮光樹脂部に、受光側突起および受光側挿入穴を形成し、
前記接合する工程においては、前記発光側突起を前記受光側挿入穴に挿入し、且つ、前記受光側突起を前記発光側挿入穴に挿入し、
前記接合する工程においては、接着剤を用いて、前記発光側遮光樹脂部を、前記受光側遮光樹脂部に接合し、
前記接合する工程においては、前記接着剤を、前記発光側挿入穴と、前記受光側挿入穴に注入する、請求項２５ないし請求項２７のいずれかに記載の光学装置の製造方法。
【請求項３１】
前記接合する工程においては、前記発光側突起を前記受光側挿入穴に圧入し、且つ、前記受光側突起を前記発光側挿入穴に圧入する、請求項２８または請求項３０に記載の光学装置の製造方法。
【請求項３２】
発光側リードフレームに、複数の発光素子を配置する工程と、
受光側リードフレームに、複数の受光素子を配置する工程と、を更に備え、
前記発光側遮光樹脂部を形成する工程においては、前記発光側リードフレームを介して互いに連結されているように複数の発光側遮光樹脂部を形成し、
前記受光側遮光樹脂部を形成する工程においては、前記受光側リードフレームを介して互いに連結されているように複数の受光側遮光樹脂部を形成し、
前記接合する工程においては、前記複数の発光側遮光樹脂部を前記複数の受光側遮光樹脂部にそれぞれ接合する、請求項２５に記載の光学装置の製造方法。
【請求項３３】
前記接合する工程の後に、前記発光側リードフレームおよび前記受光側リードフレームを切断する、請求項３２に記載の光学装置の製造方法。
【請求項３４】
前記発光素子を覆う発光側透光樹脂部を形成する工程と、
前記受光素子を覆う受光側透光樹脂部を形成する工程と、を更に備え、
前記発光側遮光樹脂部を形成する工程においては、前記発光側遮光樹脂部によって、前記発光側透光樹脂部を覆い、
前記受光側遮光樹脂部を形成する工程においては、前記受光側遮光樹脂部によって、前記受光側透光樹脂部を覆う、請求項２５ないし請求項３３のいずれかに記載の光学装置の製造方法。
【請求項３５】
前記発光素子に発光側ワイヤをボンディングする工程と、
前記受光素子に受光側ワイヤをボンディングする工程と、を更に備える、請求項２５ないし請求項３４のいずれかに記載の光学装置の製造方法。
【発明の詳細な説明】
【技術分野】
【０００１】
本発明は、光学装置と、光学装置の製造方法と、に関する。
【背景技術】
【０００２】
フォトインタラプタは、内蔵された発光モジュールから受光モジュールまでの光路を遮る物体の有無を検出するセンサとして、多くの電子機器などに用いられている（たとえば特許文献１参照）。同文献に開示のフォトインタラプタは、発光モジュールと、受光モジュールと、モールド体と、を備える。発光モジュールおよび受光モジュールは、互いに離間して配置されている。モールド体は、発光モジュールおよび受光モジュールを一括して覆っている。モールド体は、発光モジュールからの光を実質的に透過しない材料よりなる。同文献に開示のモールド体は、上下左右の４方向から樹脂を挟みこむための４つの金型を用いる必要がある。このことは、フォトインタラプタの製造の効率化の妨げとなる。
【先行技術文献】
【特許文献】
【０００３】
【特許文献１】特開２００９−８１１５６号公報
【発明の概要】
【発明が解決しようとする課題】
【０００４】
本発明は、上記した事情のもとで考え出されたものであって、製造の効率化を図ることのできる光学装置を提供することをその主たる課題とする。
【課題を解決するための手段】
【０００５】
本発明の第１の側面によると、発光素子と、受光素子と、前記発光素子を覆う発光側遮光樹脂部と、前記受光素子を覆う受光側遮光樹脂部と、を備え、前記発光側遮光樹脂部には、前記発光素子から放たれた光を放つ光出射孔が形成され、前記受光側遮光樹脂部には、前記受光素子への光が入射する光入射孔が形成され、前記光出射孔は、前記光入射孔に対向しており、前記発光側遮光樹脂部は、前記受光側遮光樹脂部に接合されている、光学装置が提供される。
【０００６】
好ましくは、前記発光側遮光樹脂部および前記受光側遮光樹脂部はいずれも、断面形状がＬ字状である。
【０００７】
好ましくは、前記発光側遮光樹脂部は、発光側突起を含み、且つ、前記発光側遮光樹脂部には、発光側挿入穴が形成され、前記受光側遮光樹脂部は、受光側突起を含み、且つ、前記受光側遮光樹脂部には、受光側挿入穴が形成され、前記発光側突起は、前記受光側挿入穴に挿入されており、前記受光側突起は、前記発光側挿入穴に挿入されている。
【０００８】
好ましくは、前記発光側遮光樹脂部および前記受光側遮光樹脂部を接合する樹脂接合層を更に備え、前記樹脂接合層は、前記発光側遮光樹脂部および前記受光側遮光樹脂部の間に介在している。
【０００９】
好ましくは、前記発光側遮光樹脂部は、発光側突起を含み、且つ、前記発光側遮光樹脂部には、発光側挿入穴が形成され、前記受光側遮光樹脂部は、受光側突起を含み、且つ、前記受光側遮光樹脂部には、受光側挿入穴が形成され、前記発光側突起は、前記受光側挿入穴に挿入されており、前記受光側突起は、前記発光側挿入穴に挿入されており、前記発光側遮光樹脂部および前記受光側遮光樹脂部を接合する樹脂接合層を更に備え、前記樹脂接合層は、前記発光側遮光樹脂部および前記受光側遮光樹脂部の間に介在しており、前記樹脂接合層の一部は、前記発光側挿入穴および受光側挿入穴に位置する。
【００１０】
好ましくは、前記発光側突起は、前記受光側挿入穴に圧入されており、前記受光側突起は、前記発光側挿入穴に圧入されている。
【００１１】
好ましくは、前記発光側遮光樹脂部は、発光側接合面を有し、前記受光側遮光樹脂部は、受光側接合面を有し、前記発光側接合面は、前記受光側接合面に対向しており、前記発光側接合面からは、前記発光側挿入穴が凹んでおり、且つ、前記発光側突起が突出しており、前記受光側接合面からは、前記受光側挿入穴が凹んでおり、且つ、前記受光側突起が突出している。
【００１２】
好ましくは、前記発光側接合面は、発光側傾斜面を有し、前記受光側接合面は、受光側傾斜面を有し、前記発光側接合面は、前記受光側接合面に対向しており、前記発光側傾斜面および前記受光側傾斜面はいずれも、前記光出射孔および前記光入射孔の離間する方向に直交する平面に対して、傾斜している。
【００１３】
好ましくは、前記発光側遮光樹脂部は、発光側パーティングラインを有し、前記受光側遮光樹脂部は、受光側パーティングラインを有し、前記発光側パーティングラインおよび前記受光側パーティングラインは、前記光出射孔および前記光入射孔の離間する方向に直交する平面に平行である。
【００１４】
好ましくは、前記発光側遮光樹脂部には、パーティングラインとして、前記発光側パーティングラインのみを有し、前記受光側遮光樹脂部は、パーティングラインとして、前記受光側パーティングラインのみを有する。
【００１５】
好ましくは、前記発光側遮光樹脂部および前記受光側遮光樹脂部の外形は、互いに同一である。
【００１６】
好ましくは、前記発光側遮光樹脂部は、前記発光素子を覆う発光側主部と、前記発光側主部から前記受光側遮光樹脂部に向かって、前記光出射孔および前記光入射孔の離間する方向に延びる発光側副部と、を含み、前記受光側遮光樹脂部は、前記受光素子を覆う受光側主部と、前記受光側主部から前記発光側遮光樹脂部に向かって、前記光出射孔および前記光入射孔の離間する方向に延びる受光側副部と、を含み、前記発光側副部は、前記受光側副部に接合されている。
【００１７】
好ましくは、前記発光側副部は、前記発光側主部につながる発光側基部と、前記発光側基部から前記受光側遮光樹脂部に向かって、前記光出射孔および前記光入射孔の離間する方向に延び出る発光側延出部と、を有し、前記発光側基部の一部と、前記発光側延出部の一部とは、前記受光側副部に接合されている。
【００１８】
好ましくは、前記受光側副部は、前記受光側主部につながる受光側基部と、前記受光側基部から前記発光側遮光樹脂部に向かって、前記光出射孔および前記光入射孔の離間する方向に延び出る受光側延出部と、を有し、前記受光側基部の一部と、前記受光側延出部の一部とは、前記発光側副部に接合されている。
【００１９】
好ましくは、前記発光側遮光樹脂部は、発光側外面と、第１発光側内面と、第１発光側外方側面と、第１発光側内方側面と、を有し、前記発光側外面は、前記光出射孔と前記光入射孔とが離間する方向の一方である第１方向を向き、前記第１発光側内面は、前記第１方向とは反対の第２方向を向く。
【００２０】
好ましくは、前記第１発光側外方側面および前記第１発光側内方側面は、前記第１方向に直交する第３方向を向き、前記第１発光側外方側面および前記第１発光側内方側面のなす角度は、１８０度よりも小さい。
【００２１】
好ましくは、前記発光側遮光樹脂部は、前記第１発光側内面につながる第２発光側内面を有し、前記第１発光側内面は、前記第２発光側内面から起立している。
【００２２】
好ましくは、前記受光側遮光樹脂部は、受光側外面と、第１受光側内面と、第１受光側外方側面と、第１受光側内方側面と、を有し、前記受光側外面は、前記光出射孔と前記光入射孔とが離間する方向の一方である第１方向とは反対の第２方向を向き、前記第１受光側内面は、前記第１方向を向く。
【００２３】
好ましくは、前記第１受光側外方側面および前記第１受光側内方側面は、前記第１方向に直交する第３方向を向き、前記第１受光側外方側面および前記第１受光側内方側面のなす角度は、１８０度よりも小さい。
【００２４】
好ましくは、前記受光側遮光樹脂部は、前記第１受光側内面につながる第２受光側内面を有し、前記第１受光側内面は、前記第２受光側内面から起立している。
【００２５】
好ましくは、前記発光素子を覆う発光側透光樹脂部と、前記受光素子を覆う受光側透光樹脂部と、を更に備え、前記発光側遮光樹脂部は、前記発光側透光樹脂部を覆い、前記受光側遮光樹脂部は、前記受光側透光樹脂部を覆う。
【００２６】
好ましくは、前記発光素子が配置された第１発光素子用リードと、前記受光素子が配置された第１受光素子用リードと、を更に備え、前記第１発光素子用リードは、前記発光側遮光樹脂部から突出しており、前記第１受光素子用リードは、前記受光側遮光樹脂部から突出している。
【００２７】
好ましくは、前記発光素子にボンディングされた発光側ワイヤと、前記受光素子にボンディングされた受光側ワイヤと、を更に備える。
【００２８】
好ましくは、前記発光側ワイヤがボンディングされた第２発光素子用リードと、前記受光側ワイヤがボンディングされた第２受光素子用リードと、を更に備え、前記第２発光素子用リードは、前記発光側遮光樹脂部から突出しており、前記第２受光素子用リードは、前記受光側遮光樹脂部から突出している。
【００２９】
本発明の第２の側面によると、発光素子を覆う発光側遮光樹脂部を形成する工程と、受光素子を覆う受光側遮光樹脂部を形成する工程と、前記発光側遮光樹脂部を、前記受光側遮光樹脂部に接合する工程と、を備え、前記発光側遮光樹脂部を形成する工程においては、前記発光素子から放たれた光を放つ光出射孔を形成し、前記受光側遮光樹脂部を形成する工程においては、前記受光素子への光が入射する光入射孔を形成し、前記接合する工程においては、前記光出射孔が前記光入射孔に対向するように、前記発光側遮光樹脂部を、前記受光側遮光樹脂部に接合する、光学装置の製造方法が提供される。
【００３０】
好ましくは、前記発光側遮光樹脂部を形成する工程は、２つのみの金型を用いて行い、前記受光側遮光樹脂部を形成する工程は、２つのみの金型を用いて行う。
【００３１】
好ましくは、前記発光側遮光樹脂部を形成する工程において用いる２つの金型は、それぞれ、前記受光側遮光樹脂部を形成する工程において用いる２つの金型と同一形状の金型である。
【００３２】
好ましくは、前記発光側遮光樹脂部を形成する工程においては、前記発光側遮光樹脂部に、発光側突起および発光側挿入穴を形成し、前記受光側遮光樹脂部を形成する工程においては、前記受光側遮光樹脂部に、受光側突起および受光側挿入穴を形成し、前記接合する工程においては、前記発光側突起を前記受光側挿入穴に挿入し、且つ、前記受光側突起を前記発光側挿入穴に挿入する。
【００３３】
好ましくは、前記接合する工程においては、接着剤を用いて、前記発光側遮光樹脂部を、前記受光側遮光樹脂部に接合する。
【００３４】
好ましくは、前記発光側遮光樹脂部を形成する工程においては、前記発光側遮光樹脂部に、発光側突起および発光側挿入穴を形成し、前記受光側遮光樹脂部を形成する工程においては、前記受光側遮光樹脂部に、受光側突起および受光側挿入穴を形成し、前記接合する工程においては、前記発光側突起を前記受光側挿入穴に挿入し、且つ、前記受光側突起を前記発光側挿入穴に挿入し、前記接合する工程においては、接着剤を用いて、前記発光側遮光樹脂部を、前記受光側遮光樹脂部に接合し、前記接合する工程においては、前記接着剤を、前記発光側挿入穴と、前記受光側挿入穴に注入する。
【００３５】
好ましくは、前記接合する工程においては、前記発光側突起を前記受光側挿入穴に圧入し、且つ、前記受光側突起を前記発光側挿入穴に圧入する。
【００３６】
好ましくは、発光側リードフレームに、複数の発光素子を配置する工程と、受光側リードフレームに、複数の受光素子を配置する工程と、を更に備え、前記発光側遮光樹脂部を形成する工程においては、前記発光側リードフレームを介して互いに連結されているように複数の発光側遮光樹脂部を形成し、前記受光側遮光樹脂部を形成する工程においては、前記受光側リードフレームを介して互いに連結されているように複数の受光側遮光樹脂部を形成し、前記接合する工程においては、前記複数の発光側遮光樹脂部を前記複数の受光側遮光樹脂部にそれぞれ接合する。
【００３７】
好ましくは、前記接合する工程の後に、前記発光側リードフレームおよび前記受光側リードフレームを切断する。
【００３８】
好ましくは、前記発光素子を覆う発光側透光樹脂部を形成する工程と、前記受光素子を覆う受光側透光樹脂部を形成する工程と、を更に備え、前記発光側遮光樹脂部を形成する工程においては、前記発光側遮光樹脂部によって、前記発光側透光樹脂部を覆い、前記受光側遮光樹脂部を形成する工程においては、前記受光側遮光樹脂部によって、前記受光側透光樹脂部を覆う。
【００３９】
好ましくは、前記発光素子に発光側ワイヤをボンディングする工程と、前記受光素子に受光側ワイヤをボンディングする工程と、を更に備える。
【００４０】
本発明のその他の特徴および利点は、添付図面を参照して以下に行う詳細な説明によって、より明らかとなろう。
【図面の簡単な説明】
【００４１】
【図１】本発明の第１実施形態にかかる光学装置の斜視図である。
【図２】本発明の第１実施形態にかかる光学装置のうち発光側遮光樹脂部を主に示す斜視図である。
【図３】本発明の第１実施形態にかかる光学装置のうち受光側遮光樹脂部を主に示す斜視図である。
【図４】図１に示した光学装置の正面図である。
【図５】図１に示した光学装置の平面図である。
【図６】図１に示した光学装置の底面図である。
【図７】図１に示した光学装置の右側面図である。
【図８】図１に示した光学装置の左側面図である。
【図９】図４のＩＸ−ＩＸ線に沿う断面図である。
【図１０】図４のＸ−Ｘ線に沿う断面図である。
【図１１】図４のＸＩ−ＸＩ線に沿う断面図である。
【図１２】図５のＸＩＩ−ＸＩＩ線に沿う断面図である。
【図１３】発光側遮光樹脂部および受光側遮光樹脂部の接合箇所を部分的に拡大して示す部分拡大断面図である。
【図１４】発光側遮光樹脂部および受光側遮光樹脂部の接合箇所を部分的に拡大して示す部分拡大断面図である。
【図１５】発光側遮光樹脂部および受光側遮光樹脂部の接合箇所を部分的に拡大して示す部分拡大断面図である。
【図１６】図９から、発光側遮光樹脂部および発光側透光樹脂部を省略した図である。
【図１７】図１０から、受光側遮光樹脂部および受光側透光樹脂部を省略した図である。
【図１８】図１に示した光学装置の製造方法の一工程を示す部分拡大平面図である。
【図１９】図１８に続く一工程を示す図である。
【図２０】図１９に続く一工程を示す図（発光側透光樹脂部を二点鎖線にて示す）である。
【図２１】図２０に続く一工程を示す図（発光側透光樹脂部および発光側遮光樹脂部を二点鎖線にて示す）である。
【図２２】図２１のＸＸＩＩ−ＸＸＩＩ線に沿う断面図である。
【図２３】光学装置の製造方法の一工程を示す部分拡大平面図である。
【図２４】図２３に続く一工程を示す図である。
【図２５】図２４に続く一工程を示す図（受光側透光樹脂部を二点鎖線にて示す）である。
【図２６】図２５に続く一工程を示す図（受光側透光樹脂部および受光側遮光樹脂部を二点鎖線にて示す）である。
【図２７】図２６のＸＸＶＩＩ−ＸＸＶＩＩ線に沿う断面図である。
【図２８】図１に示した光学装置の製造方法のうち、発光側遮光樹脂部および受光側遮光樹脂部の接合工程を示す図（一部は断面）である。
【図２９】本発明の第２実施形態にかかる光学装置の斜視図である。
【図３０】本発明の第２実施形態にかかる光学装置のうち発光側遮光樹脂部を主に示す斜視図である。
【図３１】本発明の第２実施形態にかかる光学装置のうち受光側遮光樹脂部を主に示す斜視図である。
【発明を実施するための形態】
【００４２】
以下、本発明の実施の形態につき、図面を参照して具体的に説明する。
【００４３】
＜第１実施形態＞
図１〜図２８を用いて、本発明の第１実施形態について説明する。
【００４４】
図１は、本発明の第１実施形態にかかる光学装置の斜視図である。図２は、本発明の第１実施形態にかかる光学装置のうち発光側遮光樹脂部を主に示す斜視図である。図３は、本発明の第１実施形態にかかる光学装置のうち受光側遮光樹脂部を主に示す斜視図である。図４は、図１に示した光学装置の正面図である。図５は、図１に示した光学装置の平面図である。図６は、図１に示した光学装置の底面図である。図７は、図１に示した光学装置の右側面図である。図８は、図１に示した光学装置の左側面図である。図９は、図４のＩＸ−ＩＸ線に沿う断面図である。図１０は、図４のＸ−Ｘ線に沿う断面図である。図１１は、図４のＸＩ−ＸＩ線に沿う断面図である。図１２は、図５のＸＩＩ−ＸＩＩ線に沿う断面図である。図１６は、図９から、発光側遮光樹脂部および発光側透光樹脂部を省略した図である。図１７は、図１０から、受光側遮光樹脂部および受光側透光樹脂部を省略した図である。
【００４５】
これらの図に示す光学装置１００は、フォトインタラプタである。光学装置１００は、発光素子１１と、受光素子１２と、第１発光素子用リード２１と、第２発光素子用リード２２と、第１受光素子用リード３１と、第２受光素子用リード３２と、発光素子用接合層４１１と、受光素子用接合層４１２と、発光側透光樹脂部５１と、受光側透光樹脂部５２と、発光側遮光樹脂部６と、受光側遮光樹脂部７と、樹脂接合層８９と、を備える。光学装置１００は、発光側遮光樹脂部６と受光側遮光樹脂部７との間に遮光体８１（図１２参照）が有るか否かを検出する。
【００４６】
なお、第１方向Ｘ１、第２方向Ｘ２、第３方向Ｘ３、第４方向Ｘ４、第５方向Ｘ５、第６方向Ｘ６を、図１、図４、図５等に示すように規定する。第１方向Ｘ１および第２方向Ｘ２は互いに反対側を向き、第３方向Ｘ３および第４方向Ｘ４は互いに反対側を向き、第５方向Ｘ５および第６方向Ｘ６は互いに反対側を向く。第１方向Ｘ１と、第３方向Ｘ３と、第５方向Ｘ５はいずれも直交する。
【００４７】
［発光素子１１について］
図１１、図１２、図１６に示す発光素子１１は、たとえばＬＥＤチップである。本実施形態では、発光素子１１は、赤外光を発する。
【００４８】
［受光素子１２について］
図１１、図１２、図１７に示す受光素子１２は、たとえばフォトダイオード、フォトトランジスタ、あるいはフォトＩＣである。本実施形態では、受光素子１２は、赤外光を受光する。受光素子１２は、受光した赤外光を、当該赤外光の量に応じた電気信号に変換する。
【００４９】
［第１発光素子用リード２１、第２発光素子用リード２２、第１受光素子用リード３１、第２受光素子用リード３２について］
図１１、図１２、図１６、図１７に示す第１発光素子用リード２１、第２発光素子用リード２２、第１受光素子用リード３１、および第２受光素子用リード３２は、いずれも、導体よりなる。第１発光素子用リード２１、第２発光素子用リード２２、第１受光素子用リード３１、および第２受光素子用リード３２の厚さは、互いに同一である。これは、後述のように、第１発光素子用リード２１、第２発光素子用リード２２、第１受光素子用リード３１、および第２受光素子用リード３２は、同一形状の発光側リードフレーム２（後述）、受光側リードフレーム３（後述）から形成されるからである。
【００５０】
第１発光素子用リード２１は、発光素子１１に導通している。第１発光素子用リード２１には、発光素子１１が配置されている。
【００５１】
第１発光素子用リード２１は、発光素子ボンディング部２１１および長状部２１２を含む。
【００５２】
発光素子ボンディング部２１１には、発光素子１１が配置されている。第１発光素子用リード２１には、凹部２１１Ａが形成されている。本実施形態では、凹部２１１Ａは円形である。凹部２１１Ａには発光素子１１が配置されている。
【００５３】
長状部２１２は、一方向に沿って延びる形状である。長状部２１２は、発光素子ボンディング部２１１につながっている。
【００５４】
第２発光素子用リード２２は、発光素子１１に導通している。第２発光素子用リード２２には、発光側ワイヤ４２１がボンディングされている。
【００５５】
第２発光素子用リード２２は、発光素子用ワイヤボンディング部２２１および長状部２２２を含む。
【００５６】
発光素子用ワイヤボンディング部２２１には、発光側ワイヤ４２１がボンディングされている。長状部２２２は、一方向に沿って延びる形状である。長状部２２２は、長状部２１２に平行に延びている。長状部２２２は、発光素子用ワイヤボンディング部２２１につながっている。
【００５７】
第１受光素子用リード３１は、受光素子１２に導通している。第１受光素子用リード３１には、受光素子１２が配置されている。
【００５８】
第１受光素子用リード３１は、受光素子ボンディング部３１１および長状部３１２を含む。
【００５９】
受光素子ボンディング部３１１には、受光素子１２が配置されている。第１受光素子用リード３１には、凹部３１１Ａが形成されている。本実施形態では、凹部３１１Ａは円形である。凹部３１１Ａには受光素子１２が配置されている。
【００６０】
長状部３１２は、一方向に沿って延びる形状である。長状部３１２は、受光素子ボンディング部３１１につながっている。
【００６１】
第２受光素子用リード３２は、受光素子１２に導通している。第２受光素子用リード３２には、受光側ワイヤ４２２がボンディングされている。
【００６２】
第２受光素子用リード３２は、受光素子用ワイヤボンディング部３２１および長状部３２２を含む。
【００６３】
受光素子用ワイヤボンディング部３２１には、受光側ワイヤ４２２がボンディングされている。長状部３２２は、一方向に沿って延びる形状である。長状部３２２は、長状部３１２に平行に延びている。長状部３２２、長状部３１２、長状部２２２、長状部２１２はいずれも平行である。長状部３２２は、受光素子用ワイヤボンディング部３２１につながっている。
【００６４】
［発光素子用接合層４１１について］
図１１、図１２に示す発光素子用接合層４１１は、発光素子１１を第１発光素子用リード２１に対し接合している。発光素子用接合層４１１は、発光素子１１と第１発光素子用リード２１（本実施形態においては発光素子ボンディング部２１１）との間に位置する。発光素子用接合層４１１は、発光素子１１と第１発光素子用リード２１（本実施形態においては発光素子ボンディング部２１１）とに直接接している。発光素子用接合層４１１は、導電性の材料よりなる。発光素子用接合層４１１は、たとえば、銀ペーストである。発光素子用接合層４１１が導電性を有する材料よりなるため、発光素子用接合層４１１を介して発光素子１１と第１発光素子用リード２１とが導通している。また、本実施形態では、発光素子用接合層４１１は、第１発光素子用リード２１における凹部２１１Ａに位置している。
【００６５】
［受光素子用接合層４１２について］
図１１、図１２等に示す受光素子用接合層４１２は、受光素子１２を第１受光素子用リード３１に対し接合している。受光素子用接合層４１２は、受光素子１２と第１受光素子用リード３１（本実施形態においては受光素子ボンディング部３１１）との間に位置する。受光素子用接合層４１２は、受光素子１２と第１受光素子用リード３１（本実施形態においては受光素子ボンディング部３１１）とに直接接している。受光素子用接合層４１２は、導電性の材料よりなる。受光素子用接合層４１２は、たとえば、銀ペーストである。受光素子用接合層４１２が導電性を有する材料よりなるため、受光素子用接合層４１２を介して受光素子１２と第１受光素子用リード３１とが導通している。また、本実施形態では、受光素子用接合層４１２は、第１受光素子用リード３１における凹部３１１Ａに位置している。
【００６６】
［発光側ワイヤ４２１について］
図１２、図１６に示す発光側ワイヤ４２１は、発光素子１１と第２発光素子用リード２２（発光素子用ワイヤボンディング部２２１）とにボンディングされている。これにより、発光素子１１と第２発光素子用リード２２とが導通している。
【００６７】
［受光側ワイヤ４２２について］
図１２、図１７等に示す受光側ワイヤ４２２は、受光素子１２と第２受光素子用リード３２（受光素子用ワイヤボンディング部３２１）とにボンディングされている。これにより、受光素子１２と第２受光素子用リード３２とが導通している。
【００６８】
［発光側透光樹脂部５１について］
図１１、図１２に示す発光側透光樹脂部５１は、発光素子１１を覆っている。本実施形態では、発光側透光樹脂部５１は、第１発光素子用リード２１と、第２発光素子用リード２２と、発光素子用接合層４１１と、発光側ワイヤ４２１と、を覆っている。発光側透光樹脂部５１は、たとえば、可視光を透過させない樹脂よりなる。このような樹脂としては、熱硬化性のエポキシ樹脂が挙げられる。また、このような樹脂はたとえば黒色である。本実施形態では、発光側透光樹脂部５１は、発光素子１１からの光（本実施形態では赤外線）を透過可能である。発光側透光樹脂部５１の屈折率は、たとえば、１．３〜１．７である。
【００６９】
［受光側透光樹脂部５２について］
図１１、図１２等に示す受光側透光樹脂部５２は、受光素子１２を覆っている。本実施形態では、受光側透光樹脂部５２は、第１受光素子用リード３１と、第２受光素子用リード３２と、受光素子用接合層４１２と、受光側ワイヤ４２２と、を覆っている。受光側透光樹脂部５２は、たとえば、可視光を透過させない樹脂よりなる。このような樹脂としては、熱硬化性のエポキシ樹脂が挙げられる。また、このような樹脂はたとえば黒色である。本実施形態では、受光側透光樹脂部５２は、発光素子１１からの光（本実施形態では赤外線）を透過可能である。受光側透光樹脂部５２の屈折率は、たとえば、１．３〜１．７である。
【００７０】
［発光側遮光樹脂部６について］
図１、図２、図１１、図１２等に示す発光側遮光樹脂部６は、発光素子１１を覆っている。発光側遮光樹脂部６は、第１発光素子用リード２１と、第２発光素子用リード２２と、発光素子用接合層４１１と、発光側透光樹脂部５１と、を覆っている。発光側遮光樹脂部６は発光側透光樹脂部５１に接している。発光側遮光樹脂部６からは、第１発光素子用リード２１および第２発光素子用リード２２が突出している。具体的には、発光側遮光樹脂部６からは、長状部２１２および長状部２２２が突出している。発光側遮光樹脂部６は、可視光および赤外光のいずれをも透過させない。発光側遮光樹脂部６は、たとえばエポキシ樹脂よりなる。本実施形態では、発光側遮光樹脂部６は、断面形状がＬ字状である。発光側遮光樹脂部６には、発光素子１１から放たれた光を放つ光出射孔６８９が形成されている。
【００７１】
発光側遮光樹脂部６は、発光側パーティングライン６８８を有する。発光側パーティングライン６８８は、ある平面に平行に形成されている。本実施形態では、発光側パーティングライン６８８は、光出射孔６８９および光入射孔７８９（後述）の離間する方向Ｘに直交する平面に平行である。本実施形態では、発光側遮光樹脂部６には、パーティングラインとして、発光側パーティングライン６８８のみを有する。これは、後述するように、発光側遮光樹脂部６は２つの金型のみを用いて、形成されるからである。
【００７２】
図１、図２、図４、図５、図１１、図１２等に示すように、発光側遮光樹脂部６は、発光側主部６７１と、発光側副部６７２と、を含む。
【００７３】
発光側主部６７１は、発光素子１１を覆っている。発光側主部６７１には、光出射孔６８９が形成されている。本実施形態では、発光側主部６７１は、直方体状である。
【００７４】
発光側副部６７２は、発光側主部６７１から受光側遮光樹脂部７に向かって、光出射孔６８９および光入射孔７８９（後述）の離間する方向Ｘに延びる。発光側副部６７２は、発光側主部６７１につながっている。
【００７５】
図１、図２、図４、図５、図１１、図１２等に示すように、発光側遮光樹脂部６は、発光側外面６１と、第１発光側内面６２１と、第２発光側内面６２２と、発光側外方主面６３１と、発光側内方主面６３２と、第１発光側外方側面６４１と、第１発光側内方側面６４２と、第２発光側外方側面６５１と、第２発光側内方側面６５２と、発光側外方底面６６１と、発光側内方底面６６２と、発光側接合面６９と、を有する。これらの面はいずれも平坦である。
【００７６】
発光側外面６１は第１方向Ｘ１を向く。第１発光側内面６２１は、第２方向Ｘ２を向く。第２発光側内面６２２は、第１発光側内面６２１につながり、第５方向Ｘ５を向く。第２発光側内面６２２からは、第１発光側内面６２１が起立している。発光側外方主面６３１および発光側内方主面６３２は第５方向Ｘ５を向く。第１発光側外方側面６４１および第１発光側内方側面６４２は第３方向Ｘ３を向く。第２発光側外方側面６５１および第２発光側内方側面６５２は第４方向Ｘ４を向く。発光側外方底面６６１および発光側内方底面６６２は、第６方向Ｘ６を向く。
【００７７】
発光側外方主面６３１および発光側内方主面６３２の境界、第１発光側外方側面６４１および第１発光側内方側面６４２の境界、第２発光側外方側面６５１および第２発光側内方側面６５２の境界、並びに、発光側外方底面６６１および発光側内方底面６６２の境界は、発光側パーティングライン６８８となっている。そして、本実施形態では、発光側遮光樹脂部６における面には２つの金型を用いて形成されることに起因して、テーパ状となっているものがある。具体的には、図４の右上および右下の部分拡大図、並びに、図５の右上および右下の部分拡大図に誇張して示すように、発光側外方主面６３１および発光側内方主面６３２のなす角度、第１発光側外方側面６４１および第１発光側内方側面６４２のなす角度、第２発光側外方側面６５１および第２発光側内方側面６５２のなす角度、並びに、発光側外方底面６６１および発光側内方底面６６２のなす角度は、１８０度より小さい。
【００７８】
図２、図４〜図６等に示す発光側接合面６９は、受光側遮光樹脂部７に接合するための面である。本実施形態では、発光側接合面６９は、面６９１と、面６９２と、傾斜面６９３と、を有する。面６９１および面６９２は、方向Ｘに直交する面である。傾斜面６９３は、方向Ｘに直交する平面に対して、傾斜している。
【００７９】
発光側主部６７１は、発光側外面６１と、第１発光側内面６２１と、発光側外方主面６３１と、第１発光側外方側面６４１と、第２発光側外方側面６５１と、第２発光側内方側面６５２と、を構成している。発光側副部６７２は、第２発光側内面６２２と、第１発光側内方側面６４２と、第２発光側内方側面６５２と、発光側内方底面６６２と、発光側接合面６９と、を構成している。
【００８０】
図２等に示すように、本実施形態では、発光側遮光樹脂部６は、発光側突起６８１を含み、且つ、発光側遮光樹脂部６には、発光側挿入穴６８２が形成されている。発光側挿入穴６８２は、発光側接合面６９から凹んでおり、発光側突起６８１は発光側接合面６９から突出している。
【００８１】
［受光側遮光樹脂部７について］
図１、図３、図１１、図１２等に示す受光側遮光樹脂部７は、受光素子１２を覆っている。受光側遮光樹脂部７は、第１受光素子用リード３１と、第２受光素子用リード３２と、受光素子用接合層４１２と、受光側透光樹脂部５２と、を覆っている。受光側遮光樹脂部７は受光側透光樹脂部５２に接している。受光側遮光樹脂部７からは、第１受光素子用リード３１および第２受光素子用リード３２が突出している。具体的には、受光側遮光樹脂部７からは、長状部３１２および長状部３２２が突出している。受光側遮光樹脂部７は、可視光および赤外光のいずれをも透過させない。受光側遮光樹脂部７は、たとえばエポキシ樹脂よりなる。本実施形態では、受光側遮光樹脂部７は、断面形状がＬ字状である。受光側遮光樹脂部７には、受光素子１２への光が入射する光入射孔７８９が形成されている。本実施形態では、受光側遮光樹脂部７の外形は、発光側遮光樹脂部６の外形と同一である。
【００８２】
受光側遮光樹脂部７は、受光側パーティングライン７８８を有する。受光側パーティングライン７８８は、ある平面に平行に形成されている。本実施形態では、受光側パーティングライン７８８は、光出射孔６８９および光入射孔７８９の離間する方向Ｘに直交する平面に平行である。本実施形態では、受光側遮光樹脂部７には、パーティングラインとして、受光側パーティングライン７８８のみを有する。これは、後述するように、受光側遮光樹脂部７は２つの金型のみを用いて、形成されるからである。
【００８３】
図１、図３、図４、図５、図１１、図１２等に示すように、受光側遮光樹脂部７は、受光側主部７７１と、受光側副部７７２と、を含む。
【００８４】
受光側主部７７１は、受光素子１２を覆っている。受光側主部７７１には、光入射孔７８９が形成されている。本実施形態では、受光側主部７７１は、直方体状である。
【００８５】
受光側副部７７２は、受光側主部７７１から発光側遮光樹脂部６に向かって、光出射孔６８９および光入射孔７８９の離間する方向Ｘに延びる。受光側副部７７２は、受光側主部７７１につながっている。
【００８６】
図１、図３、図４、図５、図１１、図１２等に示すように、受光側遮光樹脂部７は、受光側外面７１と、第１受光側内面７２１と、第２受光側内面７２２と、受光側外方主面７３１と、受光側内方主面７３２と、第１受光側外方側面７４１と、第１受光側内方側面７４２と、第２受光側外方側面７５１と、第２受光側内方側面７５２と、受光側外方底面７６１と、受光側内方底面７６２と、受光側接合面７９と、を有する。これらの面はいずれも平坦である。
【００８７】
受光側外面７１は第２方向Ｘ２を向く。第１受光側内面７２１は、第１方向Ｘ１を向く。第２受光側内面７２２は、第１受光側内面７２１につながり、第５方向Ｘ５を向く。第２受光側内面７２２からは、第１受光側内面７２１が起立している。受光側外方主面７３１および受光側内方主面７３２は第５方向Ｘ５を向く。第１受光側外方側面７４１および第１受光側内方側面７４２は第３方向Ｘ３を向く。第２受光側外方側面７５１および第２受光側内方側面７５２は第４方向Ｘ４を向く。受光側外方底面７６１および受光側内方底面７６２は、第６方向Ｘ６を向く。
【００８８】
受光側外方主面７３１および発光側内方主面７３２の境界、第１受光側外方側面７４１および第１受光側内方側面７４２の境界、第２受光側外方側面７５１および第２受光側内方側面７５２の境界、並びに、受光側外方底面７６１および受光側内方底面７６２の境界は、受光側パーティングライン７８８となっている。そして、本実施形態では、受光側遮光樹脂部７における面には２つの金型を用いて形成されることに起因して、テーパ状となっているものがある。具体的には、図４の左上および左下の部分拡大図、並びに、図５の左上および左下の部分拡大図に誇張して示すように、受光側外方主面７３１および受光側内方主面７３２のなす角度、第１受光側外方側面７４１および第１受光側内方側面７４２のなす角度、第２受光側外方側面７５１および第２受光側内方側面７５２のなす角度、並びに、受光側外方底面７６１および受光側内方底面７６２のなす角度は、１８０度より小さい。
【００８９】
図３〜図６等に示す受光側接合面７９は、発光側遮光樹脂部６に接合するための面である。本実施形態では、受光側接合面７９は、面７９１と、面７９２と、傾斜面７９３と、を有する。面７９１および面７９２は、方向Ｘに直交する面である。傾斜面７９３は、方向Ｘに直交する平面に対して、傾斜している。
【００９０】
受光側主部７７１は、受光側外面７１と、第１受光側内面７２１と、受光側外方主面７３１と、第１受光側外方側面７４１と、第２受光側外方側面７５１と、第２受光側内方側面７５２と、を構成している。受光側副部７７２は、第２受光側内面７２２と、第１受光側内方側面７４２と、第２受光側内方側面７５２と、受光側内方底面７６２と、受光側接合面７９と、を構成している。
【００９１】
図３等に示すように、本実施形態では、受光側遮光樹脂部７は、受光側突起７８１を含み、且つ、受光側遮光樹脂部７には、受光側挿入穴７８２が形成されている。受光側挿入穴７８２は、受光側接合面７９から凹んでおり、受光側突起７８１は受光側接合面７９から突出している。
【００９２】
［発光側遮光樹脂部６および受光側遮光樹脂部７の接合について］
図１、図４、図１１、図１２等に示すように、発光側遮光樹脂部６および受光側遮光樹脂部７は互いに接合されている。具体的には、次の通りである。発光側副部６７２および受光側副部７７２が互いに接合されている。発光側接合面６９および受光側接合面７９は互いに対向している。そして、発光側接合面６９および受光側接合面７９は、互いに接合されている。
【００９３】
そして、図１１、図１３、図１４に示すように、本実施形態においては、発光側突起６８１は、受光側挿入穴７８２に挿入されており、受光側突起７８１は、発光側挿入穴６８２に挿入されている。
【００９４】
図１３〜図１５に示すように、本実施形態においては更に、発光側遮光樹脂部６および受光側遮光樹脂部７の間に、樹脂接合層８９が介在している。これにより、発光側遮光樹脂部６および受光側遮光樹脂部７が接合されている。樹脂接合層８９の一部は、発光側挿入穴６８２および受光側挿入穴７８２に位置する。樹脂接合層８９の一部は、発光側接合面６９および受光側接合面７９に接している。樹脂接合層８９は、たとえば、液体接着剤からなる。液体接着剤は、たとえば、ＵＶ系のものや、アクリル系のものがある。
【００９５】
本実施形態においては更に、発光側突起６８１は、受光側挿入穴７８２に圧入されており、受光側突起７８１は、発光側挿入穴６８２に圧入されている。
【００９６】
本実施形態とは異なり、発光側遮光樹脂部６および受光側遮光樹脂部７の接合に、樹脂接合層８９、および、圧入（発光側突起６８１の受光側挿入穴７８２への圧入、受光側突起７８１の発光側挿入穴６８２への圧入）のいずれをも用いる必要はない。たとえば、発光側遮光樹脂部６および受光側遮光樹脂部７の接合に、樹脂接合層８９を用い、圧入（発光側突起６８１の受光側挿入穴７８２への圧入、受光側突起７８１の発光側挿入穴６８２への圧入）を用いなくてもよい。あるいは、発光側遮光樹脂部６および受光側遮光樹脂部７の接合に、圧入（発光側突起６８１の受光側挿入穴７８２への圧入、受光側突起７８１の発光側挿入穴６８２への圧入）を用い、樹脂接合層８９を用いなくてもよい。
【００９７】
次に、光学装置１００の製造方法を簡単に説明する。
【００９８】
まず、図１８に示すように、発光側リードフレーム２を用意する。次に、図１９に示すように、発光側リードフレーム２に、複数の発光素子１１を配置する。次に、発光素子１１に発光側ワイヤ４２１をボンディングする。次に、図２０に示すように、発光側リードフレーム２の一部を切断した後、発光素子１１を覆う発光側透光樹脂部５１を形成する。なお、図２０では、発光側透光樹脂部５１を２点鎖線を用いて示している。
【００９９】
次に、図２１、図２２に示すように、発光素子１１を覆う発光側遮光樹脂部６を形成する。なお、図２１では、発光側透光樹脂部５１および発光側遮光樹脂部６を２点鎖線を用いて示している。発光側遮光樹脂部６の形成は、２つのみの金型（第１金型８１１第２金型８２１）を用いて行う。発光側遮光樹脂部６を形成する工程においては、発光側遮光樹脂部６によって、発光側透光樹脂部５１を覆う。この際、発光側リードフレーム２を介して互いに連結されているように、複数の発光側遮光樹脂部６を形成する。発光側遮光樹脂部６を形成する工程においては、発光素子１１から放たれた光を放つ光出射孔６８９を形成する。本実施形態においては、発光側遮光樹脂部６を形成する工程においては、発光側遮光樹脂部６に、発光側突起６８１および発光側挿入穴６８２を形成する。
【０１００】
一方、発光側遮光樹脂部６を形成するのと同様に、図２３に示すように、受光側リードフレーム３を用意する。次に、図２４に示すように、受光側リードフレーム３に、複数の受光素子１２を配置する。次に、受光素子１２に受光側ワイヤ４２２をボンディングする。次に、図２５に示すように、受光側リードフレーム３の一部を切断した後、受光素子１２を覆う受光側透光樹脂部５２を形成する。なお、図２５では、受光側透光樹脂部５２を２点鎖線を用いて示している。
【０１０１】
次に、図２６、図２７に示すように、受光素子１２を覆う受光側遮光樹脂部７を形成する。なお、図２６では、受光側透光樹脂部５２および受光側遮光樹脂部７を２点鎖線を用いて示している。受光側遮光樹脂部７の形成は、２つのみの金型（第１金型８１１第２金型８２１）を用いて行う。すなわち、発光側遮光樹脂部６の形成に用いる２つの金型は、それぞれ、受光側遮光樹脂部７の形成に用いる２つの金型と同一形状の金型である。本実施形態とは異なり、発光側遮光樹脂部６と受光側遮光樹脂部７の形成を、別形状の金型を用いて行ってもよい。受光側遮光樹脂部７を形成する工程においては、受光側遮光樹脂部７によって、受光側透光樹脂部５２を覆う。この際、受光側リードフレーム３を介して互いに連結されているように、複数の受光側遮光樹脂部７を形成する。受光側遮光樹脂部７を形成する工程においては、発光素子１１から放たれた光を放つ光入射孔７８９を形成する。本実施形態においては、受光側遮光樹脂部７を形成する工程においては、受光側遮光樹脂部７に、受光側突起７８１および受光側挿入穴７８２を形成する。
【０１０２】
次に、図２８に示すように、発光側遮光樹脂部６および受光側遮光樹脂部７を接合する。具体的には、光出射孔６８９が光入射孔７８９に対向するように、発光側遮光樹脂部６を、受光側遮光樹脂部７に接合する。発光側遮光樹脂部６および受光側遮光樹脂部７の接合においては、発光側突起６８１を受光側挿入穴７８２に挿入し、且つ、受光側突起７８１を発光側挿入穴６８２に挿入する。本実施形態においては、発光側遮光樹脂部６および受光側遮光樹脂部７の接合においては、発光側突起６８１を受光側挿入穴７８２に圧入し、且つ、受光側突起７８１を発光側挿入穴６８２に圧入する。
【０１０３】
本実施形態においては更に、接着剤８９’を用いて、発光側遮光樹脂部６を、受光側遮光樹脂部７に接合する。接着剤８９’が硬化することにより、上述の樹脂接合層８９となる。本実施形態では、接着剤８９’を、発光側挿入穴６８２と、受光側挿入穴７８２に注入する。
【０１０４】
次に、図示は省略するが、発光側リードフレーム２および受光側リードフレーム３を切断することにより固片化する。これにより、複数の光学装置１００を得ることができる。
【０１０５】
次に、本実施形態の作用効果について説明する。
【０１０６】
本実施形態においては、発光側遮光樹脂部６は、受光側遮光樹脂部７に接合されている。このような構成によると、発光側遮光樹脂部６および受光側遮光樹脂部７をそれぞれ、２つの金型によって形成することができる。よって、遮光樹脂を形成するのに、上下左右の４方向から樹脂を挟みこむための４つの金型を一度に用いる必要がない。これは、光学装置１００の製造の効率化に適する。
【０１０７】
特に、発光側遮光樹脂部６および受光側遮光樹脂部７をそれぞれ、２つの金型によって形成することができることは、１つのリードフレームからの光学装置１００の取り数を増大させることができる。
【０１０８】
本実施形態においては、発光側遮光樹脂部６は、発光側突起６８１を含み、且つ、発光側遮光樹脂部６には、発光側挿入穴６８２が形成されている。受光側遮光樹脂部７は、受光側突起７８１を含み、且つ、受光側遮光樹脂部７には、受光側挿入穴７８２が形成されている。発光側突起６８１は、受光側挿入穴７８２に挿入されており、受光側突起７８１は、発光側挿入穴６８２に挿入されている。このような構成によると、発光側遮光樹脂部６に対する受光側遮光樹脂部７の位置決めをするのに適する。
【０１０９】
本実施形態においては、発光側遮光樹脂部６および受光側遮光樹脂部７を接合する樹脂接合層８９を光学装置１００が備える。これは、発光側遮光樹脂部６および受光側遮光樹脂部７を、接着剤８９’によって接合したためである。このような構成によると、発光側遮光樹脂部６および受光側遮光樹脂部７をよりしっかりと接合するのに適する。
【０１１０】
本実施形態においては、樹脂接合層８９の一部は、発光側挿入穴６８２および受光側挿入穴７８２に位置する。このような構成によると、発光側遮光樹脂部６および受光側遮光樹脂部７をさらにしっかりと接合するのに適する。
【０１１１】
本実施形態においては、発光側突起６８１は、受光側挿入穴７８２に圧入されている。受光側突起７８１は、発光側挿入穴６８２に圧入されている。このような構成によると、発光側遮光樹脂部６および受光側遮光樹脂部７をよりしっかりと接合するのに適する。
【０１１２】
本実施形態においては、発光側遮光樹脂部６および受光側遮光樹脂部７の外形は、互いに同一である。そのため、発光側遮光樹脂部６および受光側遮光樹脂部７を、同一形状の金型を用いて製造することができる。これは、金型の製造コストの低減に資する。
【０１１３】
本実施形態では、発光側遮光樹脂部６を形成する工程においては、発光側リードフレーム２を介して互いに連結されているように複数の発光側遮光樹脂部６を形成する。受光側遮光樹脂部７を形成する工程においては、受光側リードフレーム３を介して互いに連結されているように複数の受光側遮光樹脂部７を形成する。接合する工程においては、複数の発光側遮光樹脂部６を複数の受光側遮光樹脂部７にそれぞれ接合する。このような構成によると、複数の光学装置１００を一括して製造できるため、光学装置１００の製造の効率化を図ることができる。
【０１１４】
＜第２実施形態＞
図２９〜図３１を用いて、本発明の第２実施形態について説明する。
【０１１５】
なお、以下の説明では、上記と同一もしくは類似の構成については上記と同一の符号を付し、説明を適宜省略する。
【０１１６】
図２９は、本発明の第２実施形態にかかる光学装置の斜視図である。図３０は、本発明の第２実施形態にかかる光学装置のうち発光側遮光樹脂部を主に示す斜視図である。図３１は、本発明の第２実施形態にかかる光学装置のうち受光側遮光樹脂部を主に示す斜視図である。
【０１１７】
これらの図に示す光学装置１０１は、発光側遮光樹脂部６および受光側遮光樹脂部７の形状が異なる。発光側遮光樹脂部６の発光側副部６７２の端部、および、受光側遮光樹脂部７の受光側副部７７２の端部には、段差が形成されている。以下具体的に説明する。
【０１１８】
光学装置１０１は、発光素子１１と、受光素子１２と、第１発光素子用リード２１と、第２発光素子用リード２２と、第１受光素子用リード３１と、第２受光素子用リード３２と、発光素子用接合層４１１と、受光素子用接合層４１２と、発光側透光樹脂部５１と、受光側透光樹脂部５２と、発光側遮光樹脂部６と、受光側遮光樹脂部７と、樹脂接合層８９と、を備える。発光側遮光樹脂部６および受光側遮光樹脂部７を除き、光学装置１０１における、発光素子１１と、受光素子１２と、第１発光素子用リード２１と、第２発光素子用リード２２と、第１受光素子用リード３１と、第２受光素子用リード３２と、発光素子用接合層４１１と、受光素子用接合層４１２と、発光側透光樹脂部５１と、受光側透光樹脂部５２と、樹脂接合層８９の各構成には、光学装置１００に関して述べた説明を適用できるから、本実施形態では説明を省略する。
【０１１９】
発光側遮光樹脂部６については、以下の点を除き、光学装置１００に関して述べたのと同様である。
【０１２０】
本実施形態においては、発光側遮光樹脂部６における発光側副部６７２は、発光側基部６７２Ａおよび発光側延出部６７２Ｂを有する。
【０１２１】
発光側基部６７２Ａは、発光側主部６７１につながっている。発光側延出部６７２Ｂは、発光側基部６７２Ａから受光側遮光樹脂部７に向かって、光出射孔６８９および光入射孔７８９の離間する方向Ｘに延び出ている。これにより、発光側副部６７２の端部に段差が形成されている。発光側基部６７２Ａおよび発光側延出部６７２Ｂによって、発光側接合面６９が構成されている。
【０１２２】
本実施形態においては、受光側遮光樹脂部７における受光側副部７７２は、受光側基部７７２Ａおよび受光側延出部７７２Ｂを有する。
【０１２３】
受光側基部７７２Ａは、受光側主部７７１につながっている。受光側延出部７７２Ｂは、受光側基部７７２Ａから発光側遮光樹脂部６に向かって、光出射孔６８９および光入射孔７８９の離間する方向Ｘに延び出ている。これにより、受光側副部７７２の端部に段差が形成されている。受光側基部７７２Ａおよび受光側延出部７７２Ｂによって、受光側接合面７９が構成されている。
【０１２４】
そして、発光側基部６７２Ａの一部と、発光側延出部６７２Ｂの一部とは、受光側副部７７２に接合されている。受光側基部７７２Ａの一部と、受光側延出部７７２Ｂの一部とは、発光側副部６７２に接合されている。
【０１２５】
このような構成によると、第１実施形態で述べた作用効果に加え、以下の作用効果を奏する。すなわち、本実施形態によると、発光側遮光樹脂部６に対する受光側遮光樹脂部７の位置決めをより的確に行うことができる。また、発光側遮光樹脂部６および受光側遮光樹脂部７の接合面積をより大きくすることができ、発光側遮光樹脂部６および受光側遮光樹脂部７をより確実に接合することができる。
【０１２６】
なお、本実施形態の場合は、発光側遮光樹脂部６を形成するための金型の形状と、受光側遮光樹脂部７を形成するための金型の形状とは、異なっている。
【０１２７】
本発明は、上述した実施形態に限定されるものではない。本発明の各部の具体的な構成は、種々に設計変更自在である。
【符号の説明】
【０１２８】
１００，１０１  光学装置
１１  発光素子
１２  受光素子
２  発光側リードフレーム
２１  第１発光素子用リード
２１１  発光素子ボンディング部
２１１Ａ  凹部
２１２  長状部
２２  第２発光素子用リード
２２１  発光素子用ワイヤボンディング部
２２２  長状部
３  受光側リードフレーム
３１  第１受光素子用リード
３１１  受光素子ボンディング部
３１１Ａ  凹部
３１２  長状部
３２  第２受光素子用リード
３２１  受光素子用ワイヤボンディング部
３２２  長状部
４１１  発光素子用接合層
４１２  受光素子用接合層
４２１  発光側ワイヤ
４２２  受光側ワイヤ
５１  発光側透光樹脂部
５２  受光側透光樹脂部
６  発光側遮光樹脂部
６１  発光側外面
６２１  第１発光側内面
６２２  第２発光側内面
６３１  発光側外方主面
６３２  発光側内方主面
６４１  第１発光側外方側面
６４２  第１発光側内方側面
６５１  第２発光側外方側面
６５２  第２発光側内方側面
６６１  発光側外方底面
６６２  発光側内方底面
６７１  発光側主部
６７２  発光側副部
６７２Ａ  発光側基部
６７２Ｂ  発光側延出部
６８１  発光側突起
６８２  発光側挿入穴
６８８  発光側パーティングライン
６８９  光出射孔
６９  発光側接合面
６９１  面
６９２  面
６９３  （発光側）傾斜面
７  受光側遮光樹脂部
７１  受光側外面
７２１  第１受光側内面
７２２  第２受光側内面
７３１  受光側外方主面
７３２  受光側内方主面
７４１  第１受光側外方側面
７４２  第１受光側内方側面
７５１  第２受光側外方側面
７５２  第２受光側内方側面
７６１  受光側外方底面
７６２  受光側内方底面
７７１  受光側主部
７７２  受光側副部
７７２Ａ  受光側基部
７７２Ｂ  受光側延出部
７８１  受光側突起
７８２  受光側挿入穴
７８８  受光側パーティングライン
７８９  光入射孔
７９  受光側接合面
７９１  面
７９２  面
７９３  （受光側）傾斜面
８１  遮光体
８１１  第１金型
８２１  第２金型
８９  樹脂接合層
８９’  接着剤
Ｘ  方向
Ｘ１  第１方向
Ｘ２  第２方向
Ｘ３  第３方向
Ｘ４  第４方向
Ｘ５  第５方向
Ｘ６  第６方向
【図１】
2015095584.tif 000003
【図２】
2015095584.tif 000004
【図３】
2015095584.tif 000005
【図４】
2015095584.tif 000006
【図５】
2015095584.tif 000007
【図６】
2015095584.tif 000008
【図７】
2015095584.tif 000009
【図８】
2015095584.tif 000010
【図９】
2015095584.tif 000011
【図１０】
2015095584.tif 000012
【図１１】
2015095584.tif 000013
【図１２】
2015095584.tif 000014
【図１３】
2015095584.tif 000015
【図１４】
2015095584.tif 000016
【図１５】
2015095584.tif 000017
【図１６】
2015095584.tif 000018
【図１７】
2015095584.tif 000019
【図１８】
2015095584.tif 000020
【図１９】
2015095584.tif 000021
【図２０】
2015095584.tif 000022
【図２１】
2015095584.tif 000023
【図２２】
2015095584.tif 000024
【図２３】
2015095584.tif 000025
【図２４】
2015095584.tif 000026
【図２５】
2015095584.tif 000027
【図２６】
2015095584.tif 000028
【図２７】
2015095584.tif 000029
【図２８】
2015095584.tif 000030
【図２９】
2015095584.tif 000031
【図３０】
2015095584.tif 000032
【図３１】
2015095584.tif 000033